(57)【要約】【課題】寝たきりの患者に負担をかけないようにする床ずれ防止ベッドを提供する。【解決手段】床ずれ防止ベッド１は、複数のマット部３ａ、４ａからなるマット２を具え、各マット部３ａ、４ａはマット２の長手方向に対し垂直な方向に輪切りにされたものであり、マット２は、複数のマット部３ａ、４ａのうち１個おきに配置されたマット部３ａからなる固定マット３と、複数のマット部３ａ、４ａのうち、固定マット３と互い違いに配置され、かつ、前記固定マット３に対し鉛直方向に上下動するマット部４ａからなる移動マット４の２種類のマットから構成されている。【選択図】図１
2006075507.tif 000002
【特許請求の範囲】
【請求項１】
複数のマット部からなるマットを具え、
前記各マット部は前記マットをその長手方向に対し垂直な方向に輪切りにしたものであり、
前記マットは、
前記複数のマット部のうち１個おきに配置されたマット部からなる固定マットと、
前記複数のマット部のうち、前記固定マットと互い違いに配置され、かつ、前記固定マットに対し鉛直方向に上下動するマット部からなる移動マット
の２種類のマットから構成されるようにしたことを特徴とする床ずれ防止ベッド。
【請求項２】
前記マットの周囲に配設された外枠と
該外枠に固定された架台
とをさらに具え、
前記固定マットは、前記架台に固定され、
前記移動マットは、前記外枠内において、前記固定マットに対し鉛直方向に上下動するようにしたことを特徴とする請求項（１）記載の床ずれ防止ベッド。
【請求項３】
複数のマット部からなるマットと、
該マットの鉛直下方に配設された台とを具え、
前記各マット部は前記マットをその長手方向に対し垂直な方向に輪切りにしたものであり、
前記マットは、
前記複数のマット部のうち、１個おきに配置され、かつ前記台に対し鉛直方向に上下動するマット部からなる第一のマットと、
前記複数のマット部のうち、前記第一のマットと互い違いに配置され、かつ、前記台に対し鉛直方向に上下動するマット部からなる第二のマット
の２種類のマットから構成され、
前記第一のマット及び前記第二のマットの何れか一方のマットを前記台に対し鉛直方向に上下動させることにより、前記一方のマットの高さを、他方のマットの高さと異ならせるようにしたことを特徴とする床ずれ防止ベッド。
【請求項４】
前記第一のマットを前記台に対して鉛直方向に上下動させる第一の鉛直移動手段と、
前記第二のマットを前記台に対して鉛直方向に上下動させる第二の鉛直移動手段とを具えていることを特徴とする請求項（３）記載の床ずれ防止ベッド。
【請求項５】
前記第一のマット及び第二のマットのうちいずれか一方のマットを、水平方向に移動させる水平移動手段を具えていることを特徴とする請求項（３）記載の床ずれ防止ベッド。
【請求項６】
前記床ずれ防止ベッドは、
複数の支持部材を互いに間隔を隔てて有し、かつ前記台に対し鉛直方向に上下動する身体保持用アームを具えており、
前記水平移動手段は、前記第一のマット及び第二のマットのうち前記一方のマットを、水平方向に移動させることにより、前記第一のマットの各マット部の各間及び前記第二のマットの各マット部の各間に、前記身体保持用アームの前記各支持部材をそれぞれ嵌挿させて該支持部材を前記第一のマットと前記第二のマットの鉛直下方に案内する複数のスペースを形成するようにしたことを特徴とする請求項（５）記載の床ずれ防止ベッド。
【発明の詳細な説明】
【技術分野】
【０００１】
本発明は、寝たきりの患者が利用できる床ずれ防止ベッドに関するものである。
【背景技術】
【０００２】
従来、寝たきりの患者が利用できるベッドとしては、水平に配置されたベッドの一側方を鉛直方向に上下させてベッドを傾斜させ、これにより該患者の体位を変えるものがある（例えば、特許文献１参照。）。この従来のベッドでは、体位を変えることにより寝たきりの患者の床ずれを防止することができる。
【特許文献１】特開平４−１２２２１２号公報（図１）
【発明の開示】
【発明が解決しようとする課題】
【０００３】
上記した従来の床ずれ防止ベッドは、水平に配置されたベッドの一側方を鉛直方向に上下させてベッドを傾斜させ、これにより体位を変えて床ずれ防止を図ることができるものであるから、寝たきりの患者の体位を変えてこれを維持するために、体位を固定する補助マットなどが必要であり、該補助マッドなどを使用すると寝たきりの患者の腹部が圧迫される等、寝たきりの患者に負担を掛けるという欠点があった。
【０００４】
上述した事情に鑑み、本発明は、寝たきりの患者に負担をかけないようにする床ずれ防止ベッドを提供することを目的としている。
【課題を解決するための手段】
【０００５】
上述した事情に鑑み、本願第一の発明に係る床ずれ防止ベッドは、複数のマット部からなるマットを具え、前記各マット部は前記マットをその長手方向に対し垂直な方向に輪切りにしたものであり、前記マットは、前記複数のマット部のうち１個おきに配置されたマット部からなる固定マットと、前記複数のマット部のうち、前記固定マットと互い違いに配置され、かつ、前記固定マットに対し鉛直方向に上下動するマット部からなる移動マットの２種類のマットから構成される。
【０００６】
また、本願第二の発明に係る床ずれ防止ベッドは、複数のマット部からなるマットと、該マットの鉛直下方に配設された台とを具え、前記各マット部は前記マットをその長手方向に対し垂直な方向に輪切りにしたものであり、前記マットは、前記複数のマット部のうち、１個おきに配置され、かつ前記台に対し鉛直方向に上下動するマット部からなる第一のマットと、前記複数のマット部のうち、前記第一のマットと互い違いに配置され、かつ、前記台に対し鉛直方向に上下動するマット部からなる第二のマットの２種類のマットから構成され、前記第一のマット及び前記第二のマットの何れか一方のマットを前記台に対し鉛直方向に上下動させることにより、前記一方のマットの高さを、他方のマットの高さと異ならせるようにしている。
【発明の効果】
【０００７】
本願第一の発明に係る床ずれ防止ベッドは、複数のマット部からなるマットを具え、各マット部はマットをその長手方向に対し垂直な方向に輪切りにしたものであり、マットは、複数のマット部のうち１個おきに配置されたマット部からなる固定マットと、複数のマット部のうち、固定マットと互い違いに配置され、かつ、固定マットに対し鉛直方向に上下動するマット部からなる移動マットの２種類のマットから構成されているから、移動マットを固定マットに対し鉛直方向に上下動させることによって、ベッドの固定マットと移動マットの各水平状態をそれぞれ維持するとともに、患者の背部を、互いに間隔を隔てて配置された複数の支点で持ち上げることができる。そのため、寝たきりの患者の背部の血行を良くすることができるとともに該背部を乾燥させることができ、これにより床ずれを防止することができる。しかも、補助マットなどを使用せずに床ずれを防止することができるので、床ずれを防止する動作の際に生じる寝たきりの患者への負担を、従来に比し可及的に軽減できる。
【０００８】
本願第二の発明に係る床ずれ防止ベッドは、複数のマット部からなるマットと、該マットの鉛直下方に配設された台とを具え、各マット部はマットをその長手方向に対し垂直な方向に輪切りにしたものであり、マットは、複数のマット部のうち、１個おきに配置され、かつ前記台に対し鉛直方向に上下動するマット部からなる第一のマットと、複数のマット部のうち、第一のマットと互い違いに配置され、かつ、台に対し鉛直方向に上下動するマット部からなる第二のマットの２種類のマットから構成され、第一のマット及び第二のマットの何れか一方のマットを台に対し鉛直方向に上下動させることにより、一方のマットの高さを、他方のマットの高さと異ならせるようにしたから、ベッドの第一のマットと第二のマットの各水平状態を維持するとともに、患者の背部を、互いに間隔を隔てて配置された複数の支点で持ち上げることができる。そのため、寝たきりの患者の背部の血行を良くすることができるとともに該背部を乾燥させることができ、これにより床ずれを防止することができる。しかも、補助マットなどを使用せずに床ずれを防止することができるので、床ずれを防止する動作の際に生じる寝たきりの患者への負担を、従来に比し可及的に軽減できる。
【発明を実施するための最良の形態】
【０００９】
本願第一の発明の床ずれ防止ベッドを下記の実施例１で詳述し、本願第二の発明の床ずれ防止ベッドを下記の実施例２で詳述する。
【実施例１】
【００１０】
図１（ａ）乃至（ｃ）は、いずれも本願第一の発明の実施例に係る床ずれ防止ベッドを示す概念図であって、特に、図１（ａ）は、床ずれ防止ベッドの初期状態を示す断面図であり、図１（ｂ）は、床ずれ防止ベッドの移動マットが固定マットに対し上動した様子を示す要部破断面図であり、図１（ｃ）は、床ずれ防止ベッドの移動マットが固定マットに対し下動した様子を示す要部破断面図である。
【００１１】
図１（ａ）で示すように、この実施例の床ずれ防止ベッド１は、複数のマット部３ａ、４ａからなるマット２を具えている。  
このマット２の各マット部３ａ、４ａは、マット２を、それぞれマット２の長手方向に対し垂直な方向（すなわち、マット２の幅方向に沿った方向）に輪切りにしたものである。
【００１２】
また、マット２は、固定マット３と、移動マット４の２種類のマットから構成されている。
【００１３】
このうちの固定マット３は、上記複数のマット部３ａ、４ａのうち、１個おきに配置された複数のマット部３ａから構成されている。
【００１４】
また、移動マット４は、複数のマット部２ａのうち、固定マット３の各マット部３ａと互い違いに配置され、かつ固定マット３に対し鉛直方向に上下動する複数のマット部４ａから構成されている。  
なお、図１の符号４ｂは、各マット部４ａをそれぞれ支承する支承軸であり、符号７は各支承軸４ｂに固定された移動マット用の架台である。
【００１５】
また、この床ずれ防止ベッド１には、マット２の周囲に配設された外枠５と、該外枠５に固定された固定マット用の架台６とが配設されており、このうちの固定マット用の架台６には、上述した固定マット３のマット部３ａが支承軸を介し固定されている。
【００１６】
なお、この床ずれ防止ベッド１には、外枠５内において、移動マット４を固定マット３に対し鉛直方向に上下動させる図示せぬ鉛直移動手段が配設されている。この鉛直移動手段は、マット２の下方に配設され、かつ移動マット用の架台７に連結する図示せぬ昇降機、巻き上げ機、又は圧力ポンプから構成されている。  
なお、図１（ａ）の符号６ａは、固定マット用の架台６に形成され、かつ移動マット４の各支承軸４ｂをそれぞれ嵌挿する各孔である。なお、外枠５は床等の水平な設置面に設置されている。
【００１７】
このような構成の床ずれ防止ベッド１では、図１（ａ）で示す初期状態において、固定マット３と移動マット４とは、いずれも水平に配置され、かつ外枠５の設置面からの各高さ（この実施例において、以下、単に「高さ」という。）が同一の高さとなるように配置されている。この初期状態では、寝たきりの患者９は、固定マット３のマット部３ａと移動マット４のマット部４ａの双方の上に載置されるとともに、マット部３ａとマット部４ａの双方によって支えられている。  
なお、図１（ａ）ないし（ｃ）では、床ずれ防止ベッド１の動作をわかりやすく説明するため、患者９を点線で図示している。
【００１８】
図１（ａ）の床ずれ防止ベッド１において、上記鉛直移動手段を駆動する。すると、図１（ｂ）で示すように、移動マット４の各マット部４ａが、移動マット用の架台７とともに、外枠５内において、外枠５、固定マット用の架台６及び固定マット３の各マット部３ａに対し鉛直方向に上動する。また、上動するマット部４ａは、固定マット３のマット部３ａと同様、水平状態を維持する。
【００１９】
また、この各マット部４ａの上動とともに寝たきりの患者９は鉛直方向に上動し、これにより該患者９は水平な各マット部４ａのみに支えられることとなる。
【００２０】
このように本願第一の発明の実施例の床ずれ防止ベッド１では、複数のマット部３ａ、４ａからなるマット２を具え、各マット部３ａ、４ａはマット２をその長手方向に対し垂直な方向に輪切りにしたものであり、マット２は、複数のマット部３ａ、４ａのうち１個おきに配置されたマット部３ａからなる固定マット３と、複数のマット部３ａ、４ａのうち、固定マット３のマット部３ａと互い違いに配置され、かつ、固定マット３に対し鉛直方向に上下動するマット部４ａからなる移動マット４の２種類のマットから構成されているから、図１（ａ）の移動マット４の各マット部４ａを、図１（ｂ）で示すように固定マット３の各マット部３ａに対し鉛直方向に上動させることによって、床ずれ防止ベッド１の固定マット３と移動マット４の各水平状態を維持するとともに、寝たきりの患者９を、互いに間隔を隔てて配置された複数の支点、すなわち移動マット４の各マット部４ａのみによって支えることができる。そのため、寝たきりの患者９の背部の血行を良くすることができるとともに該背部を乾燥させることができ、これにより床ずれを防止することができる。しかも、体位を固定する補助マットなどを使用せずに床ずれを防止することができるので、床ずれを防止する動作の際に生じる寝たきりの患者への負担（補助マットによる患者の腹部への圧迫等）を、従来に比し可及的に軽減できる。
【００２１】
なお、図１（ｂ）の床ずれ防止ベッド１１を、図２（ａ）で示す初期状態に復帰させるには、上記第一の鉛直移動手段を逆駆動して初期状態に復帰させればよい。
【００２２】
また、図１（ａ）の床ずれ防止ベッド１において、上記鉛直移動手段を逆駆動する。すると、図１（ｃ）で示すように、移動マット４の各マット部４ａが、移動マット用の架台７とともに、外枠５内において、外枠５、固定マットの架台６及び固定マット３の各マット部３ａに対し鉛直方向に下動する。また、下動するマット部４ａは、固定マット３のマット部３ａと同様、水平状態を維持する。
【００２３】
また、この各マット部４ａの下動とともに、固定マット３と移動マット４によって支えられていた寝たきりの患者９は鉛直方向に下動し、これにより該患者９は水平な各マット部３ａのみに支えられることとなる。
【００２４】
このように本願第一の発明の実施例の床ずれ防止ベッド１では、複数のマット部３ａ、４ａからなるマット２を具え、各マット部３ａ、４ａはマット２をその長手方向に対し垂直な方向に輪切りにしたものであり、マット２は、複数のマット部３ａ、４ａのうち１個おきに配置されたマット部３ａからなる固定マット３と、複数のマット部３ａ、４ａのうち、固定マット３のマット部３ａと互い違いに配置され、かつ、固定マット３に対し鉛直方向に上下動するマット部４ａからなる移動マット４の２種類のマットから構成されているから、図１（ａ）の移動マット４の各マット部４ａを、図１（ｃ）で示すように固定マット３の各マット部３ａに対し鉛直方向に下動させることによって、床ずれ防止ベッド１の固定マット３と移動マット４の各水平状態を維持するとともに、寝たきりの患者９を、互いに間隔を隔てて配置された複数の支点、すなわち固定マット３の各マット部３ａのみによって支えることができる。そのため、寝たきりの患者９の背部の血行を良くすることができるとともに該背部を乾燥させることができ、これにより床ずれを防止することができる。しかも、体位を固定する補助マットなどを使用せずに床ずれを防止することができるので、床ずれを防止する動作の際に生じる寝たきりの患者への負担（補助マットによる患者の腹部への圧迫等）を、従来に比し可及的に軽減できる。
【００２５】
なお、図１（ｃ）の床ずれ防止ベッド１１を、図１（ａ）で示す初期状態に復帰させるには、上記鉛直移動手段を駆動して初期状態に復帰させればよい。
【００２６】
また、この実施例の床ずれ防止ベッド１では、固定マット３の各マット部３ａ及び移動マット４の各マット部４ａを、それぞれ等間隔で配置するようにし、これにより寝たきり患者９の背部を均一に持ち上げて該背部の血行を可及的に均一に良くし、該背部を可及的に均一に乾燥させて床ずれを防止している。しかし、本願第一の発明の床ずれ防止ベッド１では、固定マット３のマット部３ａの配置間隔及び移動マット４の各マット部４ａの配置間隔は、いずれも等間隔に限定されず、各マット部３ａや各マット部４ａは、それぞれ互いに間隔を隔てて配置されているものであれば、等間隔に配置されたものでなくてもよい。
【００２７】
また、この床ずれ防止ベッド１では、上記したように図１（ａ）の移動マット４を図１（ｂ）で示すように鉛直方向の上動させる動作、または上記したように図１（ａ）の移動マット４を図１（ｃ）で示すように鉛直方向に下動させる動作を、それぞれ繰り返すようにすると、背部の血行をさらに良くすることができるとともに背部をさらに乾燥させることができ、これにより床ずれを一層防止することができる。
【００２８】
また、この床ずれ防止ベッド１では、移動マット４を、図１（ｂ）に示す状態から直ちに図１（ｃ）に示す状態に移行させて、さらに直ちに図１（ｂ）に示す状態に移行させるようにしてもよいし、またそれらの移行動作を繰り返すようにしてもよい。
【００２９】
また、この床ずれ防止ベッド１では、移動マット４の各マット４の高さを、鉛直移動手段によって任意に変更することができる。  
また、この床ずれ防止ベッド１では、タイマーを用いて自動的に移動マット４の各マット４を鉛直方向に上動又は下動させることもでき、これにより寝たきり患者がうつ伏せになって窒息する事故等を可及的に防止できる。
【実施例２】
【００３０】
次に、本願第二の発明の床ずれ防止ベッドについて、以下の実施例で詳述する。
【００３１】
図２（ａ）乃至（ｃ）は、いずれも本願第二の発明の実施例に係る床ずれ防止ベッドを示す概念図であって、特に、図２（ａ）は、床ずれ防止ベッドの初期状態を示す断面図であり、図２（ｂ）は、床ずれ防止ベッドの第二のマットが第一のマットに対し上動した様子を示す断面図であり、図２（ｃ）は、床ずれ防止ベッドの第一のマットが第二のマットに対し上動した様子を示す断面図である。
【００３２】
図２（ａ）で示すように、この実施例の床ずれ防止ベッド１１は、複数のマット部１３ａ、１４ａからなるマット１２を具えている。マット１２の各マット部１３ａ、１４ａは、マット１２を、それぞれマット１２の長手方向に対し垂直な方向（マット１２の幅方向に沿った方向）に輪切りにしたものである。
【００３３】
また、このマット１２は、第一のマット１３と、第二のマット１４の２種類のマットから構成されている。
【００３４】
このうちの第一のマット１３は、複数のマット部１３ａ、１４ａのうち１個おきに配置された複数のマット部１３ａから構成されている。この第一のマット部１３は台１９に対し鉛直方向に上下動する。
【００３５】
また、第二のマット１４は、複数のマット部１３ａ、１４ａのうち、第一マット１３と互い違いに配置された複数のマット部１４ａから構成されている。この第二のマット１４は台１９に対し鉛直方向に上下動する。  
なお、図１の符号１６は、各マット部１３ａを支承し固定する第一のマット用の架台であり、符号１７は、各マット部１４ａを支承し固定する第二のマット用の架台である。
【００３６】
また、マット１２の鉛直下方には台１９が配置されており、該台１９は床等の水平な設置面に設置されている。
【００３７】
また、この床ずれ防止ベッド１１には、第一のマット１３を台１９に対し鉛直方向に上下動させる図示せぬ第一の鉛直移動手段が配設されている。この第一の鉛直移動手段は、マット１２の下方に配設され、かつ第一のマット用の架台１６に連結する図示せぬ昇降機、巻き上げ機、又は圧力ポンプから構成されている。  
また、この床ずれ防止ベッド１１には、第二のマット１４を台１９に対し鉛直方向に上下動させる図示せぬ第二の鉛直移動手段が配設されている。この第二の鉛直移動手段は、マット１２の下方に配設され、かつ第二のマット用の架台１７に連結する図示せぬ昇降機、巻き上げ機、又は圧力ポンプから構成されている。  
このような構成の床ずれ防止ベッド１１では、図２（ａ）で示す初期状態において、第一のマット１３と第二のマット１４とは、いずれも水平にされており、かつ台１９の設置面からの各高さ（この実施例では、以下、単に「高さ」という。）が、同一の高さとなるように配置されている。この初期状態では、寝たきりの患者９は、第一のマット１３のマット部１３ａと第二のマット１４のマット部１４ａの双方の上に載置されるとともに、マット部１３ａとマット部１４ａの双方によって支えられている。  
なお、図２（ａ）ないし（ｃ）では、床ずれ防止ベッド１の動作をわかりやすく説明するため、患者９を点線で図示している。
【００３８】
この図２（ａ）の床ずれ防止ベッド１１において、上記第二の鉛直移動手段を駆動する。すると、図２（ｂ）で示すように、第二のマット１４の各マット部１４ａが、第二のマットの架台１７とともに、台１９及び第一のマット１３の各マット部１３ａに対し鉛直方向に上動する。また、上動するマット部１４ａは、第一のマット１３のマット部１３ａと同様、水平状態を維持する。
【００３９】
また、この各マット部１４ａの上動とともに、寝たきりの患者９は鉛直方向に上動し、これにより該患者９は、水平な各マット部１４ａのみに支えられることとなる。
【００４０】
このように、本願第二の発明の実施例の床ずれ防止ベッド１１では、複数のマット部１３ａ、１４ａからなるマット１２と、該マット１２の鉛直下方に配設された台１９とを具え、各マット部１３ａ、１４ａはマット１２をその長手方向に対し垂直な方向に輪切りにしたものであり、マット１２は、複数のマット部１３ａ、１４ａのうち、１個おきに配置され、かつ台１９に対し鉛直方向に上下動するマット部１３ａからなる第一のマット１３と、複数のマット部１３ａ、１４ａのうち、第一のマット１３のマット部１３ａと互い違いに配置され、かつ、台１９に対し鉛直方向に上下動するマット部１４ａからなる第二のマット１４の２種類のマットから構成されており、これにより第一のマット１３及び第二のマット１４の何れか一方のマット（この実施例では第二のマット１４）を台１９に対し鉛直方向に上下動（この実施例では上動）させることにより、該一方のマット（この実施例では第二のマット１４）の高さを、他方のマットの高さ（この実施例では第一のマット１３）と異ならせるようにしているから、床ずれ防止ベッド１１の第一のマット１３と第二のマット１４の各水平状態を維持するとともに、寝たきりの患者９を、互いに間隔を隔てて配置された複数の支点（この実施例では第二のマット１４の各マット部１４ａ）のみによって支えることができる。そのため、寝たきりの患者９の背部の血行を良くすることができるとともに該背部を乾燥させることができ、これにより床ずれを防止することができる。しかも、体位を固定する補助マットなどを使用せずに床ずれを防止することができるので、床ずれを防止する動作の際に生じる寝たきりの患者への負担（補助マットによる患者の腹部への圧迫等）を、従来に比し可及的に軽減できる。
【００４１】
なお、図２（ｂ）の床ずれ防止ベッド１１を、図２（ａ）で示す初期状態に復帰させるには、上記第二の鉛直移動手段を逆駆動すればよい。
【００４２】
また、図２（ａ）の床ずれ防止ベッド１１において、上記第一の鉛直移動手段を駆動する。すると、図２（ｃ）で示すように、第一のマット１３の各マット部１３ａが、第一のマット用の架台１６とともに、台１９及び第二のマット１４の各マット部１４に対し鉛直方向に上動する。また、上動したマット部１３ａは、第二のマット１４のマット部１４ａと同様、水平状態を維持する。  
また、この各マット部１３ａの上動とともに、第一のマット１３と第二のマット１４によって支えられていた寝たきりの患者９は、鉛直方向に上動し、これにより該患者９は水平な各マット部１３ａのみに支えられることとなる。
【００４３】
このように、本願第二の発明の実施例の床ずれ防止ベッド１１では、複数のマット部１３ａ、１４ａからなるマット１２と、該マット１２の鉛直下方に配設された台１９とを具え、各マット部１３ａ、１４ａはマット１２をその長手方向に対し垂直な方向に輪切りにしたものであり、マット１２は、複数のマット部１３ａ、１４ａのうち、１個おきに配置され、かつ台１９に対し鉛直方向に上下動するマット部１３ａからなる第一のマット１３と、複数のマット部１３ａ、１４ａのうち、第一のマット１３のマット部１３ａと互い違いに配置され、かつ、台１９に対し鉛直方向に上下動するマット部１４ａからなる第二のマット１４の２種類のマットから構成されており、これにより第一のマット１３及び第二のマット１４の何れか一方のマット（この実施例では第一のマット１３）を台１９に対し鉛直方向に上下動（この実施例では上動）させることにより、該一方のマット（この実施例では第一のマット１３）の高さを、他方のマットの高さ（この実施例では第二のマット１４）と異ならせるようにしたから、床ずれ防止ベッド１１の第一のマット１３と第二のマット１４の各水平状態を維持するとともに、寝たきりの患者９を、互いに間隔を隔てて配置された複数の支点（この実施例では第一のマット１３の各マット部１３）のみによって支えることができる。そのため、寝たきりの患者９の背部の血行を良くすることができるとともに該背部を乾燥させることができ、これにより床ずれを防止することができる。しかも、体位を固定する補助マットなどを使用せずに床ずれを防止することができるので、床ずれを防止する動作の際に生じる寝たきりの患者への負担（補助マットによる患者の腹部への圧迫等）を、従来に比し可及的に軽減できる。
【００４４】
なお、図２（ｃ）の床ずれ防止ベッド１１を、図２（ａ）で示す初期状態に復帰させるには、上記第一の鉛直移動手段を逆駆動すればよい。
【００４５】
また、この床ずれ防止ベッド１１では、上記したように図２（ａ）の第二のマット１４を図２（ｂ）で示すように鉛直方向の上動させる動作、または上記したように図２（ａ）の第一のマット１３を図２（ｃ）で示すように鉛直方向に上動させる動作を、それぞれ繰り返すこともでき、そのようにすると背部の血行をさらに良くすることができるとともに背部をさらに乾燥させることができ、これにより床ずれを一層防止することができる。
【００４６】
また、この床ずれ防止ベッド１１では、図２（ｂ）に示す第二のマット１４を鉛直方向に下動させて、直ちに図２（ａ）に示す状態に移行させたのち、直ちに第一のマット１３を鉛直方向に上動させて図２（ｃ）に示す状態に移行させるようにしてもよいし、また、その逆に、図２（ｃ）に示す第一のマット１３を鉛直方向に下動させて、直ちに図２（ａ）に示す状態に移行させたのち、直ちに第二のマット１４を鉛直方向に上動させて図２（ｂ）に示す状態に移行させるようにしてもよい。  
また、これら上記各動作を連続して行うようにしてもよく、そのように連続させて行うと、図２（ａ）に示す状態から図２（ｂ）に示す状態に移行させる際に得られる効果、すなわち、寝たきりの患者９の自重と各マット部１４ａによる患者９の持ち上げ支持とによって生じる血行促進効果と、図２（ａ）に示す状態から図２（ｃ）に示す状態に移行させる際に得られる効果、すなわち寝たきりの患者９の自重と各マット部１３ａとによる患者９の持ち上げ支持によって生じる血行促進効果とを得ることができる。  
２種類のマット双方が鉛直移動可能な床ずれ防止ベッド１１におけるこの効果は、一方のマットのみが鉛直移動可能な実施例１の床ずれ防止ベッド１のように図１（ａ）に示す状態から図１（ｂ）に示す状態に移行させる際に得られる効果、すなわち、寝たきりの患者９の自重と各マット部４ａによる患者９の持ち上げ支持とによって生じる血行促進効果と、図１（ａ）に示す状態から図１（ｃ）に示す状態に移行させる際に得られる効果、すなわち寝たきりの患者９の自重のみによって生じる血行促進効果とを得ることができる床ずれ防止ベッドに比し、血行促進効果が一層促進されたものとなる。
【００４７】
なお、この実施例の床ずれ防止ベッド１１では、第一のマット１３と第二のマット１４とを、それぞれ初期状態（図２（ａ））から鉛直方向に上動させて、第一のマット１３と第二のマット１４の各高さを異ならせ、これにより寝たきりの患者９を、互いに間隔を隔てて配置された複数の支点で支え、血行を促進させるようにしたが、本願第二の発明の床ずれ防止ベッドでは、この実施例のものに限定されず、第一のマット１３と第二のマット１４は、それぞれ初期状態（図２（ａ））から鉛直方向に下動させて、第一のマット１３と第二のマット１４の各高さを異ならせ、これにより寝たきりの患者９を、互いに間隔を隔てて配置された複数の支点で支え、血行を促進させるようにしてもよいことはもちろんである。
【００４８】
また、この実施例の床ずれ防止ベッド１１では、第一のマット１３の各マット部１３ａ及び第二のマット１４の各マット部１４ａを、それぞれ等間隔でない間隔を隔てて配置するようにしたが、本願第二の発明の床ずれ防止ベッド１では、移動マット３の各マット部３の配置間隔はこの実施例のものに限定されず、各マット部１３ａや各マット部１４ａはそれぞれ等間隔を隔てて配設されていてもよい。
【００４９】
また、この床ずれ防止ベッド１１では、第一のマット１３の各マット１３の高さを上記第一の鉛直移動手段によって任意に変更することができる。また、第二のマット１４の各マット１４の高さを、上記第二の鉛直移動手段によって任意に変更することもできる。
【００５０】
また、この床ずれ防止ベッド１では、タイマーを用いて自動的に第一のマット１３の各マット１３を鉛直方向に上動又は下動させることもでき、また、タイマーを用いて自動的に第二のマット１４の各マット１４を鉛直方向に上動又は下動させることもできる。また、そのようにすると、寝たきり患者がうつ伏せになって窒息する事故等を可及的に防止できる。
【００５１】
また図３で示すように、この実施例の床ずれ防止ベッド１１は、そのマット１２の上方に、身体保持用アーム２１を配置することができる。  
なお、図３は、図２の実施例の床ずれ防止ベッドであって、そのマットの上方に身体保持用アームが配設された様子を示す概念断面図であり、特に図３は、マットが初期状態であり、かつ身体保持用のアームに患者が支承されている様子を示している。  
また、後述する図５乃至図１０は、図３の床ずれ防止ベッドの動作を示す図である。
【００５２】
上記した身体保持用アーム２１は、互いに間隔を隔てて配設された複数の支持部材２２を有しており、該支持部材２２により、寝たきりの患者９を載置支承するものである。
【００５３】
また、この身体保持用アーム２１には、複数の支持部材２２を、台１９に対し鉛直方向に上下動させるアーム鉛直移動手段２３が連結されている。  
なお、アーム鉛直移動手段２３は、たとえば、身体保持用アーム２１の支持部材２２に連結される油圧式昇降機から構成されている。  
また、身体保持用アーム２１には、図３の紙面に垂直な方向に身体保持用アームを移動させるアーム水平移動手段２４も連結されている。なお、アーム移動手段２４は、たとえば身体保持用のアーム２１に駆動力を与えるギヤモータと、身体保持用アーム２１を紙面垂直方向に案内するレールとから構成されている。  
なお、上記した身体保持用アーム２１やアーム鉛直移動手段２３やアーム水平移動手段２４の詳細な構造については、本願出願人が先に出願し公開された特開平１１−１９７１９４号公報や特開２００１−７９０４５号公報を参照されたい。
【００５４】
この身体保持用のアーム２１を具えた床ずれ防止ベッド１１では、身体保持用アーム２２に寝たきりの患者９を支承させた初期状態（図３）から、該寝たきりの患者９を床ずれ防止ベッド１１のマット１２に載置することができる。以下、床ずれベッド１１のより詳細な構造と、寝たきり患者９をマット１２に載置させる動作について説明する。
【００５５】
この床ずれベッド１１には、第一のマット１３と第二のマット１４のうちのいずれか一方のマットを、水平方向に移動させる水平移動手段２５が配設されている。この実施例では、水平移動手段２５は、第二のマット１４を水平方向に移動させるものとして説明している。この水平移動手段２５は、第二のマット１４の架台１７の下面に配設され、かつ台１９上を回転するローラと、ローラに駆動力を与えるモータとから構成されている。
【００５６】
まず図３の初期状態において、身体保持用のアーム２１の支持部材２２は、マット１２の上方であって、かつ、図３の要部概念断面図を示す図４のようにマット１２の幅方向略中央に配置されている。また、支持部材２２は、寝たきりの患者９を載置支承している。  
また初期状態（図３）において、第一のマットと第二のマットとは高さが同一にされている。
【００５７】
ここで、図５で示すように、上記第一の鉛直移動手段を駆動して、第一のマット１３の各マット部１３ａを、台１９及び第二のマット１４の各マット部１４ａに対し鉛直方向に上動させる。  
次に、図６で示すように、上記水平移動手段を駆動して、第二のマット１４の各マット部１４ａを、水平方向に移動させる。  
すると、第一のマット１３の各マット部１３ａの各間及び第二のマット１４の各マット部１４ａの各間に複数のスペースＳが形成される。  
そこで、図７で示すように、上記アーム鉛直移動手段を駆動して身体保持用アーム２１の支持部材２２を鉛直方向に下動し、これにより第一のマット１３の各マット部１３ａの各間及び第二のマット１４の各マット部１４ａの各間に形成された上記スペースＳ内に、身体保持用アーム２１の各支持部材２２をそれぞれ嵌挿させる。 
なお、この嵌挿は、スペースＳが形成されていることにより容易に行うことができる。また、各支持部材２２の上記下動の際、各支持部材２２はマット１２の幅方向略中央に配置された状態（図４参照）のまま下動する。 
また、支持部材２２が鉛直方向に下動すると、図７で示すように寝たきりの患者９は、支持部材２２とともに鉛直方向に下動するので、これにより該患者９は、第一のマット１３の各マット部１３ａ上に載置され、支持される。
【００５８】
また、寝たきりの患者９が載置された後も、図８で示すようにアーム鉛直移動手段の駆動を継続し、支持部材２２をさらに鉛直方向（図４の矢印Ａ方向）に下動させる。  
そして、図９で示すように、支持部材２２の先端が第一のマット１３と第二のマット１４の鉛直下方に案内された後、アーム鉛直移動手段の駆動を停止して支持部材２２の下動を停止する。
【００５９】
次に、アーム水平移動手段を駆動して、マット１２の幅方向中央に配置されていた支持部材２２を、図９の紙面垂直方向（図４の矢印Ｂ方向）に移動させ、これによりマット１２の幅方向側方に位置する最端部１２ａ（図４）に達するまで移動させる。すると、支持部材２２を収納スペース（図示しない）に収納することができる。なお、収納後はアーム水平移動手段の駆動を停止する。
【００６０】
次に、図９で示すように、上記水平移動手段を逆駆動して、第二のマット１４を初期位置（図３）に復帰させた後、該水平移動手段の逆駆動を停止する。  
その後、図１０で示すように、上記第一の鉛直移動手段を逆駆動して、第一のマット１３の各マット１３ａを、台１９及び第二のマット１４の各マット部１４ａに対し鉛直方向に下動させて初期位置（図３）に復帰させる。なお、初期位置に復帰させた後は上記第一の鉛直移動手段の駆動を停止する。
【００６１】
以上の動作によって、身体保持用アーム２２に支承された寝たきりの患者９を、床ずれ防止ベッド１１のマット１２に載置することができる。
【００６２】
このように、複数の支持部材２２を互いに間隔を隔てて有し、かつ台１９に対し鉛直方向に上下動する身体保持用アーム２１を具えた床ずれ防止ベッド１１において、第一のマット１３及び第二のマット１４のうちいずれか一方のマット（この実施例では第二のマット１４）を水平方向に移動させる水平移動手段２５を配設したから、該水平移動手段２５により、第一のマット１３の各マット部１３ａの各間及び第二のマット１４の各マット部１４ａの各間に、身体保持用アーム２１の各支持部材２２をそれぞれ嵌挿させて該支持部材２２を第一のマット１３と第二のマット１４の鉛直下方に案内する複数のスペースＳを形成することができ、該スペースＳの利用により、支持部材２２をそれぞれ各マット部１３ａの各間及び各マット部１４ａの各間に嵌挿させる場合に、各マット部１３ａ及び各マット部１４ａが当該嵌挿直後にその弾性によって初期状態に復帰しようとする際、各マット部１３ａの各間又は各マット部１４ａの各間に寝たきりの患者９を挟みこむことを可及的に防止でき、また支持部材２２を円滑に収納することができる。
【００６３】
なお、マット１２に載置された寝たきりの患者９を、身体保持用アーム２１でマット１２の上方に持ち上げる場合には、上記した患者載置動作と逆の手順を行えばよい。
【００６４】
なお、この床ずれ防止ベッド１１では、水平移動させるマットを、第一のマット１３より低い高さにされた第二のマット１４とし、これにより上記スペースＳを形成することとして説明したが、上記したマット部による寝たきりの患者９の挟み込みを防止する床ずれ防止ベッドとしては、これに限定されず、水平移動させるマットは、第二のマット１４より高い高さにされた第一のマット１３とし、該第一のマット１３の水平移動によって上記スペースＳを形成するようにしてもよい。
【００６５】
また、この実施例の床ずれ防止ベッド１１では、第一のマット１３と第二のマット１４が双方に鉛直方向に上下動可能なものとして説明したが、上記したマット部による寝たきりの患者９の挟み込みを防止する床ずれ防止ベッドとしては、この実施例のものに限定されず、たとえば、実施例１のようにマット２のうち、一方のマット（固定マット３）が鉛直方向に移動不可能であり、他方のマット（移動マット４）が鉛直方向に移動可能なものであってもよく、２種類のマットのうちいずれか一方のマットを水平方向に移動する水平移動手段が配設されていればよい。
【産業上の利用可能性】
【００６６】
本願発明の床ずれ防止ベッドは、寝たきりの患者に負担をかけないようにする床ずれ防止ベッドとして、病院や家庭で使用される。本願発明の床ずれ防止ベッドは、血行を促進する目的のベッドとしても有用である。
【図面の簡単な説明】
【００６７】
【図１】図１（ａ）乃至（ｃ）は、いずれも本願第一の発明の実施例に係る床ずれ防止ベッドを示す概念図であって、特に、図１（ａ）は、床ずれ防止ベッドの初期状態を示す断面図であり、図１（ｂ）は、床ずれ防止ベッドの移動マットが固定マットに対し上動した様子を示す要部破断面図であり、図１（ｃ）は、床ずれ防止ベッドの移動マットが固定マットに対し下動した様子を示す要部破断面図である。
【図２】図２（ａ）乃至（ｃ）は、いずれも本願第二の発明の実施例に係る床ずれ防止ベッドを示す概念図であって、特に、図２（ａ）は、床ずれ防止ベッドの初期状態を示す断面図であり、図２（ｂ）は、床ずれ防止ベッドの第二のマットが第一のマットに対し上動した様子を示す断面図であり、図２（ｃ）は、床ずれ防止ベッドの第一のマットが第二のマットに対し上動した様子を示す断面図である。
【図３】図３は、図２の実施例に係る床ずれ防止ベッドであって、そのマットの上方に身体保持用アームが配設された様子を示す概念断面図である。特に図３は、マットが初期状態であり、かつ身体保持用のアームに患者が支承されている様子を示している。
【図４】図４は、図３の要部概念断面図である。
【図５】図５は、図３の床ずれ防止ベッドの動作を示す図であって、特に第一のマットが上動した様子を示す図である。
【図６】図６は、図３の床ずれ防止ベッドの動作を示す図であって、特に第二のマットが水平移動して、第一のマットのマット部間および第二のマットのマット部間にスペースが形成された様子を示す図である。
【図７】図７は、図３の床ずれ防止ベッドの動作を示す図であって、特に図６のスペース内に身体保持用アームの支持部材を嵌挿させ、これにより寝たきりの患者を第一のマットに載置させた様子を示す図である。
【図８】図８は、図３の床ずれ防止ベッドの動作を示す図であって、特に図７の身体保持用アームの支持部材をさらに鉛直方向に下動させた様子を示す図である。
【図９】図９は、図３の床ずれ防止ベッドの動作を示す図であって、特に図８の身体保持アームの支持部材を収納スペースに収納させた後、第二のマットを水平方向に移動させて初期位置に復帰させた様子を示す図である。
【図１０】図１０は、図３の床ずれ防止ベッドの動作を示す図であって、特に図９の第二のマットを鉛直方向に下動させて初期位置に復帰させた様子を示す図である。
【符号の説明】
【００６８】
１、１１…床ずれ防止ベッド
２、１２…マット
３…固定マット
３ａ…固定マットのマット部
４…移動マット
４ａ…移動マットのマット部
３ａ、４ａ…複数のマット部
５…外枠
６…架台
１３…第一のマット
１３ａ…第一のマットのマット部
１４…第二のマット
１４ａ…第二のマットのマット部
１３ａ、１４ａ…複数のマット部
１９…台
２５…水平移動手段
２１…身体保持用アーム
２２…支持部材
Ｓ…スペース
【図１】
2006075507.tif 000003
【図２】
2006075507.tif 000004
【図３】
2006075507.tif 000005
【図４】
2006075507.tif 000006
【図５】
2006075507.tif 000007
【図６】
2006075507.tif 000008
【図７】
2006075507.tif 000009
【図８】
2006075507.tif 000010
【図９】
2006075507.tif 000011
【図１０】
2006075507.tif 000012
【手続補正書】
【提出日】平成16年9月21日(2004.9.21)
【手続補正１】
【補正対象書類名】図面
【補正対象項目名】全図
【補正方法】変更
【補正の内容】
【図１】
2006075507.tif 000013
【図２】
2006075507.tif 000014
【図３】
2006075507.tif 000015
【図４】
2006075507.tif 000016
【図５】
2006075507.tif 000017
【図６】
2006075507.tif 000018
【図７】
2006075507.tif 000019
【図８】
2006075507.tif 000020
【図９】
2006075507.tif 000021
【図１０】
2006075507.tif 000022